(57)【特許請求の範囲】
【請求項１】
光透過性部材からなる前面パネルと背面パネルとの間に展示用物品を展示するための内部空間を有する販売機本体内に配設される照明装置において、
複数の背面パネル照射用発光素子と、
第１の面および第２の面を有し、前記第２の面に前記複数の背面パネル照射用発光素子を実装するための配線パターンが形成された基板と、
前記複数の背面パネル照射用発光素子が前記展示用物品から前記前面パネル側に出ない位置に配置され、かつ、前記基板の前記第２の面に実装された前記複数の背面パネル照射用発光素子により前記背面パネルを照明するように前記背面パネル照射用発光素子の光軸に沿う出射方向を下方から前記背面パネル側に傾斜させて前記基板を前記背面パネルに取り付ける取り付け部材とを備えた照明装置。
【請求項２】
前記基板は、前記複数の背面パネル照射用発光素子の光軸に沿う出射方向が下方向から前記背面パネル側へ２０°〜４０°の範囲となるように前記取り付け部材により取り付けられた請求項１に記載の照明装置。
【請求項３】
前記基板の前記第２の面に実装された前記複数の背面パネル照射用発光素子は、前記基板の短手方向の中心線から前記前面パネル側に寄った位置に配置されていることを特徴とする請求項１に記載の照明装置。
【請求項４】
展示用物品を展示するための内部空間を有し、前記展示用物品に対応する販売用物品を払い出すための物品払出機構を内蔵する販売機本体と、
前記販売機本体内に配設された請求項１乃至３のいずれか１項に記載の照明装置とを備えたことを特徴とする自動販売機。
【発明の詳細な説明】
【技術分野】
【０００１】
本発明は、ＬＥＤ等の発光素子を用いた照明装置及び自動販売機に関する。
【背景技術】
【０００２】
照明装置として、従来の蛍光灯を用いたものと共に、近年ではＬＥＤ等の発光素子を用いたものが利用されるようになってきている。ＬＥＤを用いた照明装置は、一般用途としての照明に利用され得るものであるが、ＬＥＤを必要個数だけ装着して種々の形状の照明装置を構成できるので、特に、長尺形状として使用する用途が考えられる。
【０００３】
長尺形状の照明装置として、断面がコ字状で長尺な取付ベースと、この取付ベースの上部に嵌合される蓋部とを有してなり、この蓋部に多数のＬＥＤを配設して構成される照明装置がある（例えば特許文献１）。
【０００４】
この構成の照明装置によれば、ＬＥＤを多数配設して長尺な構成としているので、床面、壁面、あるいは、店舗等での商品等の照明に用いるのに適している。また、ＬＥＤの入力電圧が降下することなくこの照明装置を直列に多数接続して使用することができるように構成されている。
【先行技術文献】
【特許文献】
【０００５】
【特許文献１】特開２００５−１９２９９号公報
【発明の概要】
【発明が解決しようとする課題】
【０００６】
しかし、特許文献１の照明装置は、ＬＥＤを多数配設して長尺な照明装置を構成し、必要に応じてこの照明装置を直列に多数接続して使用するように構成されているものである。すなわち、照明装置を長尺にする場合の構成に工夫がされているものではない。
【０００７】
このような照明装置を、例えば、自動販売機の販売用物品のサンプル等を照明する照明装置に使用する場合、横一列の販売用物品のサンプルを一括して照明可能とするには、奥行き等の制限から、２〜３ユニットの照明装置を直列に接続して構成する必要がある。また、照明の効率を向上させるためのレンズ等を備えていないので照明効率が高くない。
【０００８】
従って、本発明の目的は、照明効率の高い照明装置及び自動販売機を提供することにある。
【課題を解決するための手段】
【０００９】
本発明は、上記目的を達成するため、光透過性部材からなる前面パネルと背面パネルとの間に展示用物品を展示するための内部空間を有する販売機本体内に配設される照明装置において、複数の背面パネル照射用発光素子と、第１の面および第２の面を有し、前記第２の面に前記複数の背面パネル照射用発光素子を実装するための配線パターンが形成された基板と、前記複数の背面パネル照射用発光素子が前記展示用物品から前記前面パネル側に出ない位置に配置され、かつ、前記基板の前記第２の面に実装された前記複数の背面パネル照射用発光素子により前記背面パネルを照明するように前記背面パネル照射用発光素子の光軸に沿う出射方向を下方から前記背面パネル側に傾斜させて前記基板を前記背面パネルに取り付ける取り付け部材とを備えた照明装置を提供する。
【００１０】
また、本発明は、上記目的を達成するため、展示用物品を展示するための内部空間を有し、前記展示用物品に対応する販売用物品を払い出すための物品払出機構を内蔵する販売機本体と、前記販売機本体内に配設された上記照明装置とを備えことを特徴とする自動販売機を提供する。
【発明の効果】
【００１１】
本発明によると、照明効率の高い照明装置及び自動販売機を提供することができる。
【図面の簡単な説明】
【００１２】
【図１】図１は、本発明の第１の実施の形態に係る照明装置の分解斜視図である。
【図２】図２（ａ）は、基板３を図１においてＡ方向から見た上平面図、図２（ｂ）は、正面図、図２（ｃ）は、基板３を図１においてＢ方向から見た下平面図である。
【図３】図３（ａ）は、上部ケース４を図１においてＡ方向から見た上平面図、図３（ｂ）は、図３（ａ）におけるＣ−Ｃ断面図、図３（ｃ）は、Ｄ部拡大図、図３（ｄ）は、Ｄ−Ｄ拡大断面図である。
【図４】図４（ａ）は、下部ケース５を図１においてＢ方向から見た下平面図、図４（ｂ）は、図４（ａ）におけるＦ−Ｆ断面図、図４（ｃ）は、図４（ｂ）の拡大詳細図である。
【図５】図５は、本発明の第１の実施の形態に係る照明装置（スイッチング定電流回路による点灯回路）の回路系全体を示す回路図である。
【図６】図６は、本発明の第１の実施の形態に係る照明装置の回路系の一部（発光回路）を示す回路図である。
【図７】図７は、ＬＥＤ２が実装された基板３、上部ケース４、および、下部ケース５が組み合わされて組み立てられた照明装置１を上平面（ａ）、正面（ｂ）、および下平面（ｃ）で示す３面図である。
【図８】図８（ａ）〜（ｄ）は、第１の実施の形態に対して、照明装置１が、上部ケース４および下部ケース５の異なる組合せにより構成された照明装置１の例をそれぞれ上平面、正面、および下平面で示す３面図である。
【図９】図９は、本発明の実施の形態に係る展示用物品の照明装置を備えた自動販売機の全体を示す正面図である。
【図１０】図１０は、本発明の実施の形態に係る展示用物品の照明装置を備えた自動販売機の全体を示すブロック図である。
【図１１Ａ】図１１Ａは、本発明の実施の形態に係る展示用物品の照明装置を説明するために示す図であり、（ａ）は、展示スペースの一部分を前面側から見た正面図であり、（ｂ）は、同じく展示スペースを右側面から見た断面図である。
【図１１Ｂ】図１１Ｂは、本発明の実施の形態に係る展示用物品の照明装置を説明するために示す図であり、（ｃ）は（ｂ）図における押釦１０８部分を拡大して示す詳細断面図である。
【図１２】図１２は、照明装置１を自動販売機１００へ取り付ける手順を工程ごとに示したものである。
【図１３】図１３は、図１１Ａ（ｂ）と同様に、展示スペースを右側面から見た断面図であって、傾斜して取り付けられた照明装置１の基板３の第１の面３ａ上に実装されたＬＥＤ２から前方上方向に照射されるＬＥＤ光の指向特性４００、および、基板３の第２の面３ｂ上に実装されたＬＥＤ２から後方下方向に照射されるＬＥＤ光のＬＥＤ指向特性４００を示す図である。
【図１４】図１４は、照明装置１を傾斜して配置し、図１３に示すような照射指向特性により照明した場合の、自動販売機１００を正面から見た状態を示す図である。
【発明を実施するための形態】
【００１３】
［第１の実施の形態（照明装置）］
図１は、本発明の第１の実施の形態に係る照明装置の分解斜視図である。
【００１４】
本発明の第１の実施の形態に係る照明装置１は、複数の発光素子としてのＬＥＤ２と、第１の面３ａおよび第２の面３ｂにそれぞれ所定の個数のＬＥＤ２を実装するための配線パターンが形成された１枚の長尺状の基板３と、基板３の第１の面３ａに実装されたＬＥＤ２から照射される光を外部へ照射するための上レンズ部４ａを有して光透過性材料により一体的に形成され、基板３の第１の面３ａに装着される１または２以上の上部ケース４と、基板３の第２の面３ｂに実装されたＬＥＤ２から照射される光を外部へ照射するための下レンズ部５ａを有して光透過性材料により一体的に形成され、基板３の第２の面３ｂに装着される１または２以上の下部ケース５とを有して構成されている。
【００１５】
（基板３）
図２（ａ）は、基板３を図１においてＡ方向から見た上平面図、図２（ｂ）は、正面図、図２（ｃ）は、基板３を図１においてＢ方向から見た下平面図である。
【００１６】
基板３は、幅方向よりも長手方向の寸法が大きい長尺状に形成されており、本実施の形態に係る照明装置１では、幅３１ｍｍ、長さ８５７ｍｍ、厚さ１．６ｍｍに形成されている。基板３の第１の面３ａ及び第２の面３ｂ上には、発光素子としてのＬＥＤ２を実装して配線するための図示しない配線パターンが形成され、また、基板３は、ＬＥＤ２に電流を供給し発光制御するためのコネクタあるいはハーネスを有している。
【００１７】
基板３の第１の面３ａには、所定の個数のＬＥＤ２、例えば、照明対象である展示用物品の数に対応した数のＬＥＤ２が実装されている。展示用物品の数に対応したＬＥＤ２の個数は、必要な明るさ、照明効果を考慮して設定されるが、本実施の形態に係る照明装置１では、展示用物品が１２個（例えば、自動販売機における商品見本缶）とし、展示用物品１個当たりにＬＥＤ２を１個として合計１２個とした。尚、ＬＥＤ２の個数はこれに限られず、ＬＥＤ２の個数を任意に設定することができる。
【００１８】
基板３の第２の面３ｂ（第１の面３ａの裏面）には、第１の面３０ａに装着されたＬＥＤ２と逆方向を主に照明するための、ＬＥＤ２が装着され、特に、照明対象（後述する背面パネル１２２）への照明効果を考慮して、所定の個数のＬＥＤ２が実装されている。ＬＥＤ２の個数は、必要な明るさ、照明効果等を考慮して設定されるが、本実施の形態に係る照明装置３では、３６個とした。尚、ＬＥＤ２の個数はこれに限られず、照明効果等を考慮してＬＥＤ２の個数を任意に設定することができる。
【００１９】
尚、基板３は、電源ユニット６０にコネクタ等を介して接続されている。
【００２０】
ＬＥＤ２は、青色ＬＥＤを蛍光体により波長変換して白色を発光可能に構成されている。あるいは、それぞれ互いに異なる色光を発する３種類のＬＥＤ素子（赤色ＬＥＤ素子，緑色ＬＥＤ素子及び青色ＬＥＤ素子）を有するＬＥＤからなり、赤色光，緑色光あるいは
青色光のいずれかの単色光を、これら２種の単色光を混合してなる組み合わせの色光を、また３種の単色光を混合してなる白色光をそれぞれ発光可能に構成されるＬＥＤ素子を使用することもできる。また、本実施の形態に係る照明装置では、広視野角のチップタイプのＬＥＤを使用している。
【００２１】
尚、上記示した基板３の第１の面３ａおよび第２の面３ｂに実装されるＬＥＤ２は、第１の面３ａと第２の面３ｂとで異なる仕様のＬＥＤを用いることができ、また、第１の面３ａに実装されるＬＥＤ２においてもそれぞれ異なる仕様のＬＥＤを用いることができ、第２の面３ｂに実装されるＬＥＤ２においても同様である。
【００２２】
（上部ケース４）
図３（ａ）は、上部ケース４を図１においてＡ方向から見た上平面図、図３（ｂ）は、図３（ａ）におけるＣ−Ｃ断面図、図３（ｃ）は、Ｄ部拡大図、図３（ｄ）は、Ｄ−Ｄ拡大断面図である。
【００２３】
上部ケース４は、基板３の第１の面３ａに実装されたＬＥＤ２から照射される光を外部（図１において主に上方向）へ照射するための上レンズ部４ａを有して光透過性材料により一体的に形成されている。
【００２４】
上部ケース４は、長尺状の基板３に対して長さの短い上部ケース４を２以上組み合せて装着することで基板３の第１の面３ａ全体を覆うようにしてもよく、また、長尺状の基板３に対して基板３と略同じ長さで形成されたものを基板３の第１の面３ａに装着してもよい。本実施の形態では、基板３に対して略半分の長さの上部ケース４を２個組み合せて装着することで基板３の第１の面３ａ全体を覆うようにしている。
【００２５】
上部ケース４は、基板３の第１の面３ａに実装された片側半分の６個のＬＥＤ２に対応して６箇所に上レンズ部４ａを有し、基板３に装着可能な略箱形状として、透明なポリカーボネート（ＰＣ）により一体的に成形されている。尚、上部ケース４は、例えば、上レンズ部４ａのみを別部材で形成して、基板３に装着可能な枠体を組み合せることにより一体的に上部ケース４として形成されるものであってもよい。また、上部ケース４は、少なくとも光を透過する程度に透明であればよく、また、着色された透明部材で形成されていてもよい。
【００２６】
図３（ｃ）、（ｄ）に示すように、上レンズ部４ａは、所定の半径で形成された内側アール部４０ａ、所定の半径で形成された外側アール部４０ｂ、任意の曲面で形成された内側曲面部４０ｃ、および、任意の曲面で形成された外側曲面部４０ｄでＬＥＤ２からの光を屈折、表面反射、および内面反射（全反射）により外部へ拡散して照射するレンズが構成されている。尚、内側アール部４０ａ、外側アール部４０ｂ、内側曲面部４０ｃ、および、外側曲面部４０ｄは、上記示した形状以外の、直線、曲面の組合せにより形成することも可能である。また、階段状に形成された傾斜部４０ｅと傾斜曲面部４０ｆによりＬＥＤ２からの光を傾斜曲面部４０ｆで全反射させて前方へ効率よく照射する構成とされている。傾斜曲面部４０ｆは、光を全反射させて効率よく外部へ照射するため放物線形状が好ましいが、他の曲線または直線の組合せにより形成することも可能である。上部ケース４は、透明な材料で構成されているので、上記説明したＬＥＤ２からの光は上部ケース４の上方向のみならず横方向および後方向にも照射される。尚、上レンズ部４ａは、略同じ肉厚となるよう設計されることで成形時のひけ防止等により高精度の成形が可能となる形状とされている。
【００２７】
上レンズ部４ａは、内側アール部４０ａ、外側アール部４０ｂ、内側曲面部４０ｃ、外側曲面部４０ｄ、傾斜部４０ｅ、および傾斜曲面部４０ｆにより構成されるので、図３（ａ）において上下左右方向に光の分布および照射方向を制御することができる。
【００２８】
（下部ケース５）
図４（ａ）は、下部ケース５を図１においてＢ方向から見た下平面図、図４（ｂ）は、図４（ａ）におけるＦ−Ｆ断面図、図４（ｃ）は、図４（ｂ）の拡大詳細図である。
【００２９】
下部ケース５は、基板３の第２の面３ｂに実装されたＬＥＤ２から照射される光を外部（図１において主に下方向）へ照射するための下レンズ部５ａを有して光透過性材料により一体的に形成されてる。
【００３０】
下部ケース５は、長尺状の基板３に対して長さの短い下部ケース５を２以上組み合せて装着することで基板３の第２の面３ｂ全体を覆うようにしてもよく、また、長尺状の基板３に対して基板３と略同じ長さで形成されたものを基板３の第２の面３ｂに装着してもよい。本実施の形態では、図１に示したように、基板３に対して略半分の長さの下部ケース１個と１／４の長さの下部ケース２個を組み合せて装着することで基板３の第１の面３ａ全体を覆うようにしている。以下の下部ケースの説明は、基板３に対して略半分の長さの下部ケース５について行なう。
【００３１】
下部ケース５は、長手方向に亘り形成された下レンズ部５ａを有し、基板３に装着可能な略箱形状として、透明なポリカーボネート（ＰＣ）により一体的に成形されている。尚、下部ケース５は、例えば、下レンズ部５ａのみを別部材で形成して、基板３に装着可能な枠体を組み合せることにより一体的に下部ケース５として形成されるものであってもよい。また、下部ケース５は、少なくとも光を透過する程度に透明であればよく、また、着色された透明部材で形成されていてもよい。
【００３２】
図４（ｃ）に示すように、下レンズ部５ａは、所定の半径で形成された内側アール部５０ａ、および、所定の半径で形成された外側アール部５０ｂでＬＥＤ２からの光を外部へ拡散して照射するレンズが構成され、階段状に形成された傾斜部５０ｃと傾斜曲面部５０ｄによりＬＥＤ２からの光を傾斜曲面部５０ｄで全反射させてＬＥＤ２からの光を前方へ効率よく照射する構成とされている。内側アール部５０ａおよび外側アール部５０ｂは、上記示した形状以外の、直線、曲面の組合せにより形成することも可能である。また、傾斜曲面部５０ｄは、光を全反射させて効率よく外部へ照射するため放物線形状が好ましいが、他の曲線または直線の組合せにより形成することも可能である。下部ケース５は、透明な材料で構成されているので、上記説明したＬＥＤ２からの光は下部ケース５の下方向のみならず横方向および上方向にも照射される。尚、下レンズ部５ａは、略同じ肉厚となるよう設計されることで成形時のひけ防止等により高精度の成形が可能となる形状とされている。
【００３３】
下レンズ部５ａは、内側アール部５０ａ、外側アール部５０ｂ、傾斜部５０ｃ、およぎ傾斜曲面部５０ｄにより構成されるので、図４（ａ）において上下方向に光の分布および照射方向を制御することができ、左右方向には略一定の分布を有する光が照射できる。
【００３４】
（照明装置の回路系全体の構成）
図５は、本発明の第１の実施の形態に係る照明装置（スイッチング定電流回路による点灯回路）の回路系全体を示す回路図である。
【００３５】
図６は、本発明の第１の実施の形態に係る照明装置の回路系の一部（発光回路）を示す回路図である。
【００３６】
図５において、照明装置１は、電源電圧の供給を受けて発光するＬＥＤ２を有する発光回路３０と、発光回路３０に電源電圧を供給する交流電源６１を有する電源回路６２と、電流検出用抵抗素子６６に通電する電流を検出してスイッチング用のＦＥＴ（Field Effect Transistor：電界効果トランジスタ）６７をＯＮ・ＯＦＦ制御するコントローラ６８を有する制御回路６９とから大略構成されている。電源回路６２と制御回路６９により図５に示す電源ユニット６０が構成されている。以下の説明では、基板３の第１の面３ａ上ではＬＥＤ２が１２個、第２の面３ｂ上ではＬＥＤ２が３６個それぞれ直列に接続された照明装置１が電源ユニット６０に接続される場合について説明する。
【００３７】
（発光回路３０の構成）
発光回路３０は、図５に示すように、ファースト リカバリー ダイオード７０及びコイル７１を含み、さらに２個のＬＥＤ２に対してそれぞれ制御素子７３及び抵抗素子群７４をＬＥＤ保護回路８０として備えている。
【００３８】
ＬＥＤ２は、基板３の第１の面３ａ上では１２個、第２の面３ｂ上では３６個が直列に接続されている。ファースト リカバリー ダイオード７０は、コイル７１に蓄えられたエネルギーをＦＥＴ７のＯＦＦ時に電流としてＬＥＤ２に流す。コイル７１は、ファーストリカバリー ダイオード７０に流れる電流をＦＥＴ７のＯＮ時にエネルギーとして蓄える。
【００３９】
制御素子７３は、図６に示すように、バイパス回路としてのＰＮＰトランジスタおよびＮＰＮトランジスタからなり、個々のＬＥＤ２に並列に接続されている。そして、後述する検出回路の検出結果に基づいて導通する。すなわち、制御素子７３は、抵抗素子群７４の一部（抵抗素子７４Ａ，７４Ｂ）によって分圧された電圧（抵抗素子７４Ａ，７４Ｂの接続点における電圧）が所定の電圧以上である場合に動作する。
【００４０】
抵抗素子群７４は、ＬＥＤ２に対する印加電圧を分圧する第１の抵抗素子７４Ａ，第２の抵抗素子７４Ｂ、制御素子７３のＮＰＮトランジスタの破壊を防止する抵抗素子７４Ｃ、及び、制御素子７３のＰＮＰトランジスタをバイアスする抵抗素子７４Ｄから構成されている。抵抗素子７４Ａは、一方側端子がＬＥＤ２のアノード端子及び制御素子７３のＰＮＰトランジスタのエミッタ端子に、また他方側端子が抵抗素子７４Ｂと抵抗素子７４Ｃにそれぞれ接続されている。抵抗素子７４Ｂは、一方側端子がＬＥＤ２のカソード端子及び制御素子７３のＮＰＮトランジスタのエミッタ端子に、また他方側端子が抵抗素子７４Ａと抵抗素子７４Ｃにそれぞれ接続されている。そして、抵抗素子７４Ｂは、抵抗素子７４Ａと共に複数のＬＥＤ２のうち何れか１つのＬＥＤ素子がオープン故障したことを検出するように構成されている。抵抗素子７４Ｃは、一方側端子が抵抗素子７４Ａ，７４Ｂの各他方側端子に、また他方側端子が制御素子７３のＰＮＰトランジスタのコレクタ端子とＮＰＮトランジスタのベース端子にそれぞれ接続されている。抵抗素子７４Ｄは、一方側端子がＬＥＤ２のアノード端子と制御素子７３のＰＮＰトランジスタのエミッタ端子に、また他方側端子が制御素子７３のＰＮＰトランジスタのベース端子とＮＰＮトランジスタのコレクタ端子に、それぞれ接続されている。
【００４１】
（電源回路６２の構成）
電源回路６２は、交流電源６１，整流ダイオード７７及び平滑コンデンサ７８Ａ，７８Ｂを備えている。交流電源６１には、ＡＣ１００Ｖ又は２００Ｖの商用交流電源が用いられる。例えば、ＡＣ２００Ｖの場合、整流ダイオード７７は、４個のダイオードでブリッジダイオードを構成し、交流電源６１からの電流の波形を整流する。平滑コンデンサ７８Ａ，７８Ｂは、整流ダイオード７７で整流した電流の波形を平滑する。例えば、この電源回路６２により、ＡＣ２００Ｖの交流が約２８０Ｖの直流に変換される。ＡＣ１００Ｖの場合、電源回路６２を両波倍電圧整流回路にするとＡＣ２００Ｖの場合と同様に約２８０Ｖの直流に変換される。
【００４２】
（制御回路６９の構成）
制御回路６９は、電流検出用抵抗素子６６，ＦＥＴ６７及びコントローラ６８を備えている。電流検出用抵抗素子６６は、電源回路６２からＬＥＤ２、コイル７１を経由した電流がＦＥＴ６７のＯＮ状態において流れ、そのＯＦＦ状態においては流れない構成とされる。ＦＥＴ６７は、コントローラ６８の制御によってＯＮ・ＯＦＦ状態とされる。コントローラ６８は、前述したように電流検出用抵抗素子６６に通電する電流を検出してＦＥＴ６７をＯＮ・ＯＦＦ制御する。
【００４３】
（照明装置１の動作）
図７は、ＬＥＤ２が実装された基板３、上部ケース４、および、下部ケース５が組み合わされて組み立てられた照明装置１を上平面（ａ）、正面（ｂ）、および下平面（ｃ）で示す３面図である。
【００４４】
長尺状の基板３に対して略半分の長さの上部ケース４Ａを第１の面３ａ側に２個並べて装着し、一方、第２の面３ｂ側には、基板３に対して略半分の長さの下部ケース５Ａを１個と１／４の長さの下部ケース５Ｂを２個組み合せて、下部ケース５Ｂ、下部ケース５Ａ、下部ケース５Ｂの順で並べて装着している。これらの上部ケース４、下部ケース５はそれぞれコネクタ等により直列に接続された状態で電源ユニット６０に接続されてもよく、また、各上部ケース４、下部ケース５がそれぞれ電源ユニット６０に接続されてもよい。
【００４５】
（照明装置１の点灯動作）
照明装置１においては、ＡＣ２００Ｖの交流電源６１が、抵抗値を１２ｋΩとする抵抗素子７４Ａ、抵抗値を１ｋΩとする抵抗素子７４Ｂ，７４Ｃ、および抵抗値を１００ｋΩとする抵抗素子７４Ｄがそれぞれ用いられる。また、制御素子７３のＮＰＮトランジスタのベース電圧が０．６５Ｖ以上でＮＰＮトランジスタ、ＰＮＰトランジスタがＯＮ状態となるものとする。
【００４６】
先ず、例えばＡＣ２００Ｖの交流電源６１からの交流が整流ダイオード７７で全波整流され、さらに平滑コンデンサ７８で平滑化され、約２８０Ｖの直流に変換される。次に、コントローラ６８によってＦＥＴ６７がＯＮ状態となると、電流がＬＥＤ２→コイル７１→ＦＥＴ６７→電流検出用抵抗素子６６を流れ、ＬＥＤ２が点灯する。そして、電流検出用抵抗素子６６に発生する電圧によって所定量の電流が流れていることが検出されると、ＦＥＴ６７がＯＦＦ状態となる。この場合、ＦＥＴ６７のＯＮ時にコイル７１にエネルギーとして蓄えられた電流がコイル７１→ファースト リカバリー ダイオード７０→ＬＥＤ２に流れ、ＬＥＤ２の点灯状態が維持される。但し、ＬＥＤ２への電流は少しずつ減少するため、一定時間後にはコントローラ６８によってＦＥＴ６７がＯＮ状態となる。このため、電流がＬＥＤ２→コイル７１→ＦＥＴ６７→電流検出用抵抗素子６６を流れ、ＬＥＤ２が点灯する。このようにして、ＬＥＤ２にはほぼ一定の電流が流れる。
【００４７】
ここで、ＬＥＤ２が正常に動作している場合には、例えばＬＥＤ２のＶＦ値を３Ｖとすると、抵抗素子７４Ａ，７４Ｂで分圧された電圧が約０．３８Ｖとなり、制御素子７３のＰＮＰトランジスタのエミッタ端子とＮＰＮトランジスタのエミッタ端子との間はＯＦＦ状態のままである。
【００４８】
上記に示したようなＬＥＤ２の点灯動作により、基板３の第１の面３ａ側に実装されたＬＥＤ２からそれぞれのＬＥＤ２の上部に位置する上レンズ部４ａを通して光が照射される。これにより、それぞれのＬＥＤ２は、照明対象である展示用物品を効果的に照明することができる。
【００４９】
尚、電源ユニット６０の出力電圧を低下させてＬＥＤ２を駆動する調光回路７９をコントローラ６８により制御することにより、照明装置１に調光機能を持たせることが可能になる。
【００５０】
（ＬＥＤ２がオープン故障した場合の照明装置１の動作）
一方、例えば、いずれか１つのＬＥＤ２がオープン故障を起こし、このＬＥＤ２の両端に８．４５Ｖ以上の電圧が印加された場合には抵抗素子７４Ａ，７４Ｂで分圧された電圧が０．６５Ｖを超え、制御素子７３のＰＮＰトランジスタのエミッタ端子とＮＰＮトランジスタのエミッタ端子との間がＯＮ状態となる。すなわち、オープン故障したＬＥＤ２の両端は、制御素子７３で短絡状態となる。このため、オープン故障したＬＥＤ素子２の他のＬＥＤ（正常に動作可能なＬＥＤ素子）２に対する電源回路６２からの電流の供給は続行される。
【００５１】
この状態から電流の供給を遮断すると、制御素子７３のＰＮＰトランジスタのエミッタ端子とＮＰＮトランジスタのエミッタ端子との間はＯＦＦ状態となるが、再度電源投入時には上記と同様に動作して制御素子７３のＰＮＰトランジスタのエミッタ端子とＮＰＮトランジスタのエミッタ端子との間がＯＮ状態になり、オープン故障したＬＥＤ２の両端が短絡状態となる。
【００５２】
尚、本実施の形態では、単一のＬＥＤ素子２がオープン故障した場合について説明したが、本発明はこれに限定されず、複数個のＬＥＤ２がオープン故障した場合にも本実施の形態と同様に動作し、オープン故障した複数個のＬＥＤ２以外の他のＬＥＤ２を正常に動作させることができる。
【００５３】
上記に示したようなＬＥＤ２の点灯動作により、オープン故障しＬＥＤ２とＬＥＤ保護回路を共通にするＬＥＤ２は点灯しないが、基板３の第１の面３ａ側に実装された他のＬＥＤ２からはそれぞれのＬＥＤ２の上部に位置する上レンズ部４ａを通して光が照射される。これにより、ＬＥＤ２を直列に接続する構成としても、ＬＥＤのオープン故障による影響を最小限に抑えることができる。
【００５４】
（第１の実施の形態の効果）
（１）第１の実施の形態では、図１あるいは図７に示したように、長尺状の基板３に対して略半分の長さの上部ケース４Ａを第１の面３ａ側に２個並べて装着し、一方、第２の面３ｂ側には、基板３に対して略半分の長さの下部ケース５Ａを中央部に装着し、その両側に１／４の長さの下部ケース５Ｂをそれぞれ装着している。このような配置で長尺状の基板３に対して上部ケース４および下部ケース５を装着すると、図７に示す上部ケース間の境界領域９０と下部ケース間の境界領域９１が基板３の長手方向において一致せず異なる位置関係となる。従って、照明装置１に曲げの力が加わっても、基板３、上部ケース４および下部ケース５の少なくとも２つの部材で力を受けるので、照明装置１の剛性が十分に確保され、強度的に十分な照明装置１が得られる。
【００５５】
（２）長尺状の基板３に対して、基板３よりも短い上部ケース４および下部ケース５をそれぞれ組み合せて照明装置１を構成するので、上部ケース４および下部ケース５の成形用金型が小さくでき、製造コストが大幅に低減可能となる。また、上部ケース４および下部ケース５は、異なる長さで形成された複数種類のカバーであるが、各々、装着する場合の配列順序が異なるだけであり、第１の面３ａと第２の面３ｂでは同一のカバーを使用できるので、部材費、材料費等の低減効果を有する。
【００５６】
（３）上部ケース４においては、上レンズ部４ａが上部ケースの本体と一体的に形成されているので、ＬＥＤ２から照射される光を外部に効率よく照射でき、他に反射板等の部材を必要としないので、部品点数の低減、組み立て工数の削減等が可能となり、コストダウンが可能となる。
【００５７】
（４）下部ケース５においても、下レンズ部５ａが下部ケースの本体と一体的に形成されているので、ＬＥＤ２から照射される光を外部に効率よく照射でき、他に反射板等の部材を必要としないので、部品点数の低減、組み立て工数の削減等が可能となり、コストダウンが可能となる。
【００５８】
（５）ＬＥＤ保護回路８０を備えることにより、ＬＥＤ２のオープン故障時の影響を最小限に抑えることができるので、ＬＥＤ２を直列に接続して駆動、発光させることが可能となり、省エネルギーに効果的なＬＥＤの駆動、すなわち、省エネルギーに効果的な照明装置１の使用が可能となる。
【００５９】
［第２の実施の形態（照明装置）］
図８（ａ）〜（ｄ）は、第１の実施の形態に対して、照明装置１が、上部ケース４および下部ケース５の異なる組合せにより構成された照明装置１の例をそれぞれ上平面、正面、および下平面で示す３面図である。
【００６０】
図８（ａ）は、展示用物品が１０個に対応する照明装置１の例であって、基板３の全長に対して４／１０の長さの上部ケース４Ｂおよび６／１０の長さの上部ケース４Ｃを組み合せ、３／１０の長さの下部ケース５Ｃおよび４／１０の長さの下部ケース５Ｄを組み合せて構成されている。第１の面３ａ側に、上部ケース４Ｂ、上部ケース４Ｃの順に並べて装着し、第２の面３ｂ側に、下部ケース５Ｃ、下部ケース５Ｄ、下部ケース５Ｃの順に並べて装着することにより、上部ケース間の境界領域９０と下部ケース間の境界領域９１が基板３の長手方向において一致せず異なる位置関係となるので、第１の実施の形態と同様に、剛性および強度が十分に確保された照明装置１が可能となる効果を有する。
【００６１】
図８（ｂ）は、展示用物品が１０個に対応する照明装置１の別の例であって、基板３の全長に対して１／２の長さの上部ケース４Ｄと、３／１０長さの下部ケース５Ｃおよび４／１０の長さの下部ケース５Ｄを組み合せて構成されている。第１の面３ａ側に、上部ケース４Ｄを２つ並べ、第２の面３ｂ側に、下部ケース５Ｃ、下部ケース５Ｄ、下部ケース５Ｃの順に並べて装着することにより、上部ケース間の境界領域９０と下部ケース間の境界領域９１が基板３の長手方向において一致せず異なる位置関係となるので、第１の実施の形態と同様に、剛性および強度が十分に確保された照明装置１が可能となる効果を有する。
【００６２】
図８（ｃ）は、展示用物品が８個に対応する照明装置１の例であって、基板３の全長に対して１／２の長さの上部ケース４Ｅと、１／４の長さの下部ケース５Ｅおよび１／２の長さの下部ケース５Ｆを組み合せて構成した照明装置１である。第１の面３ａ側に、上部ケース４Ｅを２つ並べ、第２の面３ｂ側に、下部ケース５Ｅ、下部ケース５Ｆ、下部ケース５Ｅの順に並べて装着することにより、上部ケース間の境界領域９０と下部ケース間の境界領域９１が基板３の長手方向において一致せず異なる位置関係となるので、第１の実施の形態と同様に、剛性および強度が十分に確保された照明装置１が可能となる効果を有する。
【００６３】
尚、第１の実施の形態および第２の実施の形態で示した上部ケース４および下部ケース５のそれぞれの組合せは、上部ケース間の境界領域９０と下部ケース間の境界領域９１が基板３の長手方向において一致せず異なる位置関係となればよく、種々の組合せにより構成が可能である。
【００６４】
図８（ｄ）は、展示用物品が６個に対応する照明装置１の例であって、基板３の全長と略同じ長さの上部ケース４Ｆと、基板３の全長と略同じ長さの下部ケース５Ｇを装着した照明装置１である。展示用物品が６個に対応する照明装置１では、基板３の全長と略同じ長さの上部ケース４Ｆおよび下部ケース５Ｇを樹脂成形により製造しても、小型の金型で成形可能であり、例えば、複数の長さの上部ケースあるいは下部ケースをそれぞれ組み合せて構成するよりも部品点数の低減、組み立て工数の削減等が可能となり、コストダウンが可能となる。
【００６５】
［第３の実施の形態（照明装置１の自動販売機への適用例）］
図９は、本発明の実施の形態に係る展示用物品の照明装置を備えた自動販売機の全体を示す正面図である。
【００６６】
図１０は、本発明の実施の形態に係る展示用物品の照明装置を備えた自動販売機の全体を示すブロック図である。
【００６７】
図１１Ａ，Ｂは、本発明の実施の形態に係る展示用物品の照明装置を説明するために示す図であり、（ａ）は、展示スペースの一部分を前面側から見た正面図、（ｂ）は、同じく展示スペースを右側面から見た断面図、（ｃ）は（ｂ）図における押釦１０８部分を拡大して示す詳細断面図である。尚、（ａ）図と（ｂ）図はスケール同一ではない。
【００６８】
（自動販売機の全体構成）
図９において、自動販売機１００は、缶飲料の販売用物品を販売するための販売機本体１０２と、販売用物品に対応する照明対象としての複数の展示用物品Ｂを照明する照明装置１（第１の実施の形態または第２の実施の形態に係る照明装置１）とから大略構成されている。
【００６９】
複数の展示用物品Ｂは、図９に示すように、１０個の展示用物品Ｂが一列に並置された複数（３群）の展示用物品群ｂ１，ｂ２，ｂ３に区分して３段に配置され、後述する背面パネル１２２の物品視認者側にステージ１２５を介して所定の位置に保持されている。
【００７０】
展示用物品Ｂは、図１１Ａ（ａ）及び図１１Ａ（ｂ）に示すように、販売用物品を示す情報が表面に印刷表示されたプラスチック製の光透過性部材からなる半円筒または円筒によって形成されている。尚、展示用物品Ｂとしては、半円筒または円筒の表面に印刷表示する代わりに、その印刷表示内容と同一の情報が表示されたシールを貼付したものでもよい。販売用物品（容器）が光透過性部材によって形成されている場合には、展示用物品Ｂとして販売用物品を展示してもよい。また、販売用物品には、缶飲料の他に煙草やカップ麺等が用いられる。
【００７１】
（販売機本体１０２の構成）
販売機本体１０２は、図１０に示すように、外装体としての筐体１０４と、この筐体１０４内（貯蔵部）に貯蔵する販売用物品を代金と引き換えに外部に払い出すための物品払出ユニット（物品払出機構）１０５と、この物品払出ユニット１０５及び照明装置１を駆動制御する制御ユニット１０６とを備えている。
【００７２】
（筐体１０４の構成）
筐体１０４は、図９に示すように、前方に開口する箱体１０４Ａ及び箱体１０４Ａの前方開口部を開閉する扉体１０４Ｂを有し、全体が略矩形箱によって形成されている。
【００７３】
箱体１０４Ａ内には、照明装置１、物品払出ユニット１０５、及び、制御ユニット１０６等を収容するための収容空間（図示せず）が形成されている。扉体１０４Ｂは、箱体１０４Ａに回動自在に枢支されている。
【００７４】
扉体１０４Ｂの前面上部には、前面上部カバーとしての光透過性部材からなる前面パネル１０７（電照板）が配設されている。前面パネル１０７の前面部には、外部に露出する光透過性部材からなる物品選択用の押釦１０８が複数の展示用物品Ｂに対応して複数個配設されている（本実施の形態では１段につき１０個）。前面パネル１０７と背面パネル１２２との間には、展示用物品Ｂを展示するための展示スペース（内部空間）１０９が形成されている。
【００７５】
扉体１０４Ｂの前面下部には、購買者が販売用物品の代金としての紙幣・硬貨をそれぞれ挿入・投入するための紙幣挿入口１１２・硬貨投入口１１３と、釣銭を返却するための釣銭返却口１１４と、購買者が販売用物品を取り出すためのフラッパ付きの物品取出口１１５（フラッパは図示せず）とが配設されている。また、扉体１０４Ｂの前面下部には、紙幣挿入口１１２・硬貨投入口１１３に挿入・投入された紙幣・硬貨を購買者の操作によって返却するための返却レバー１１６と、釣銭切れや挿入紙幣・投入硬貨に関する情報を表示するＬＣＤ（Liquid Crystal Display）等の表示器１１７と、扉体１０４Ｂの開動作をロック状態とするためのドアロック１１８とが取り付けられている。なお、符号２００は、販売物品等の情報を宣伝するための広告スペースである。
【００７６】
（物品払出ユニット１０５の構成）
物品払出ユニット１０５は、図１０に示すように、販売用物品を貯蔵する物品貯蔵部（図示せず）を有し、箱体１０４Ａの収容空間に複数個収容され、かつ制御ユニット１０６に接続されている。そして、紙幣挿入口１１２・硬貨投入口１１３に対する紙幣・硬貨の挿入・投入による代金と引き換えに販売用物品を払い出すように構成されている。
【００７７】
（制御ユニット１０６の構成）
制御ユニット１０６は、図１０に示すように、挿入紙幣及び投入硬貨を処理して貨幣処理信号及び釣銭処理信号を発生する貨幣・釣銭処理装置（図示せず）を有し、物品払出ユニット１０５と同様に箱体１０４Ａの収容空間に収容されている。
【００７８】
ベース１１９は、展示スペース１０９内の最後方に配置され、背面パネル１２２が所定の位置に取り付けられる基板として機能するように構成されている。
【００７９】
背面パネル１２２は、複数の展示用物品群ｂ１，ｂ２，ｂ３のそれぞれに対応した色、柄、形状を有して、ベース１１９に取り付けられていてもよく、また、展示用物品群ｂ１，ｂ２，ｂ３の全部又はその一部に対応した色、柄、形状としてベース１１９に取り付けられていてもよい。
【００８０】
ステージ１２５は、板金からなり、背面パネル１２２に取り付けられ、展示用物品Ｂが所定の個数だけ並べて展示されると共に、展示用物品Ｂに関する情報（価格、温冷等）を表示する表示部１２６を有する。
【００８１】
（照明装置１の構成）
照明装置１は、図８（ａ）または図８（ｂ）に示した展示用物品が１０個に対応するものを使用する。図８（ａ）に示した照明装置１は、基板３の全長に対して４／１０の長さの上部ケース４Ｂおよび６／１０の長さの上部ケース４Ｃを組み合せ、３／１０の長さの下部ケース５Ｃおよび４／１０の長さの下部ケース５Ｄを組み合せて構成されている。また、図８（ｂ）に示した照明装置１は、基板３の全長に対して１／２の長さの上部ケース４Ｄと、３／１０長さの下部ケース５Ｃおよび４／１０の長さの下部ケース５Ｄを組み合せて構成されている。
【００８２】
いずれも、展示用物品が１０個に対応する仕様の照明装置１であって、上部ケース４には１０個の上レンズ部４ａが形成されて１０個の展示用物品をそれぞれ照明でき、また、それぞれの展示用物品に対応した物品選択用の押釦１０８、価格、温冷等を表示する表示部１２６を照明する。
【００８３】
（照明装置１の自動販売機１００への取付け方法）
上記に示した照明装置１は、図１１Ａ（ｂ）に示すように、取り付け部材としての取付けフック３００によりネジ等により背面パネル１２２に取り付けられる。取付けフック３００は少なくとも２個使用して、照明装置１を複数箇所で支持して自動販売機１００へ固定する。
【００８４】
取付けフック３００は、自動販売機１００のベース１１９にネジ等により固定するための穴部等を有するフック本体３００ａと、フック本体３００ａの一端から突出して設けられ、照明装置１の係止凹部４ｂに係止して照明装置１をロック固定するためのロック爪３００ｂと、フック本体３００ａの他端から突出して設けられ、照明装置１の係合穴４ｃと係合する突起部を備えた係合突起部３００ｃとを有する構成とされている。
【００８５】
取付けフック３００は、図１１Ａ（ｂ）に示すように、照明装置１を所定の角度だけ傾斜させて自動販売機１００に取り付けられるように、ロック爪３００ｂと係合突起部３００ｃとの位置関係が規定されている。これにより、照明装置１を取付けフック３００を使用して固定するだけで、所定の角度で簡単に自動販売機１００への組み立てが可能となっている。
【００８６】
ここで、照明装置１の取り付け角度は、上部ケース４の上レンズ部４ａから主に前方上方向（展示用物品Ｂ、押釦１０８、表示部１２６の方向）にＬＥＤ光が照射され、下部ケース５の下レンズ部５ａから主に下方後方（背面パネル１２２方向）にＬＥＤ光が照射されるように設定され、２０°〜４０°とされている。本実施の形態では、前面パネル１０７（電照板）、物品選択用の押釦１０８、価格、温冷等を表示する表示部１２６、および、背面パネル１２２等を効果的に照明するために、取付け角度を３０°に設定し、自動販売機１００へ傾斜させて取り付けられている。
【００８７】
図１２は、照明装置１を自動販売機１００へ取り付ける手順を工程ごとに示したものである。
【００８８】
図１２（ａ）は、照明装置１の上部ケース４に形成されている係合穴４ｃに取付けフック３００の係合突起部３００ｃを係合させて、照明装置１の取り付け位置を決める。次に、図１２（ｂ）に示すように、照明装置１を回転させながら、取付けフック３００のロック爪３００ｂに当たるまで回転移動させる。ロック爪３００ｂに係止凹部４ｂが当たった状態から押し込むことによりロック爪３００ｂが係止凹部４ｂに係止固定されて照明装置１が取付けフック３００に所定の角度で固定される。
【００８９】
上記に示すように、所定の角度に設定された取付けフック３００を用いて照明装置１を自動販売機１００へワンタッチで取り付け、組み立て可能となる。
【００９０】
（照明装置１の動作）
各ＬＥＤ２に電源ユニット６０から電圧が印加されると、各ＬＥＤから照明光（例えば白色光）が放射される。
【００９１】
基板３の第１の面３ａ上に実装されたＬＥＤ２からのＬＥＤ光は、上レンズ部４ａにより前方上方向にＬＥＤ光が照射されると共に、内側アール部４０ａ、内側曲面部４０ｃ、および、傾斜曲面部４０ｆで全反射した光が透明な上部ケース４から上記示した方向以外にも照射される。照明装置１は、傾斜して取り付けられているので、出射されたＬＥＤ光は、展示用物品Ｂに下方向から入射し、半円筒または円筒形の展示用物品Ｂ（販売用物品を示す情報が表面に印刷表示された光透過性部材）を透過して展示用物品Ｂの前面部を効果的に照明すると共に、上記説明した全反射等により種々の方向に出射されるＬＥＤ光は、透光性の上部ケース４または下部ケース５を透過して、ステージ１２５に取り付けられた表示部１２６を背面側から照射する。また、前面パネル１０７に取り付けられた物品選択用の押釦１０８を透過して物品視認者側に照射され、押釦１０８の輪郭照明が行なわれる。
【００９２】
ここで、図１１Ｂ（ｃ）に示したように、押釦１０８は、前面パネル１０７に取り付けられて釦部の基部となるベース１８１、ベース１８１に取り付けられてスイッチ端子等の配線パターン等を有する基板１８２、シリコンゴムで形成されたベース１８１に装着されるカバー１８３、カバー１８３にネームプレート１８４を挟んで装着され商品購入者が指先等で押すためのレンズ１８５、レンズ１８５の内部に装着され背面から入射する光を自動販売機１００の前面へ効果的に反射させるためのリフレクトケース１８６、レンズ１８５の周辺に所定の隙間を介しベース１８１と嵌合して押釦１０８を構成するケース１８７から構成されている。尚、カバー１８３は、基板１８２のスイッチ端子に接触してスイッチオンさせる切片を備え、釦が押されたときの復元力を発生させ、また、水密構造とするための半透明のシリコンゴムで形成されている。
【００９３】
ベース１８１、基板１８２、レンズ１８５は光透過性であり、ネームプレート１８４、ケース１８７は不透過性であるので、ベース１８１に入射したＬＥＤ光１９０は、レンズ１８５の周辺部１８５ａ、及び、レンズ１８５とケース１８７との隙間１８８を主に透過して自動販売機１００の前面へ照射される。ベース１８１が、例えば緑色の光透過性材料で形成されている場合は、レンズ１８５の周辺部１８５ａと隙間１８８が緑色に輝き、いわゆる輪郭照明が行われる。
【００９４】
また、照明装置１は、傾斜して取り付けられているので、基板３の第２の面３ｂ上に実装されたＬＥＤ２から、主に、後方下方向にＬＥＤ光が照射される。これにより、ＬＥＤ光の大部分が背面パネル１２２を照射することになるので、物品視認者側から最も明るいと認識できる背面パネル１２２を限られたＬＥＤ光で効果的に照明することができる。
【００９５】
図１３は、図１１Ａ（ｂ）と同様に、展示スペースを右側面から見た断面図であって、傾斜して取り付けられた照明装置１の基板３の第１の面３ａ上に実装されたＬＥＤ２から前方上方向に照射されるＬＥＤ光の指向特性４００、および、基板３の第２の面３ｂ上に実装されたＬＥＤ２から後方下方向に照射されるＬＥＤ光のＬＥＤ指向特性４００を示す図である。それぞれのＬＥＤ２から図に示す角度で照射されるＬＥＤ光は、矢印先端を通る同心円状の目盛りで相対照度が示される。
【００９６】
基板３の第１の面３ａおよび第２の面３ｂ上にそれぞれ実装されたＬＥＤ２は、上記説明したように、図１３に示すような指向特性を持っている。従来の蛍光灯は３６０°の全方向に光が照射されるのに対して、ＬＥＤ光は、図１３に示したようなＬＥＤ指向特性４００を有するので、展示用物品Ｂの前面部分と背面パネル１２２に効率よくＬＥＤ光が照射される。特に、照明装置１が傾斜して取付けられた場合は、より効率よく照明が可能となる。
【００９７】
図１４は、照明装置１を傾斜して配置し、図１３に示すような照射指向特性により照明した場合の、自動販売機１００を正面から見た状態を示す図である。照明装置１を傾斜配置して指向特性を有するＬＥＤ光により照明することで、展示用物品Ｂの照明部分４２１（斜線部分）、背面パネル１２２の照明部分４２０（斜線部分）、および広告スペース２００の照明部分４２２（斜線部分）が特に明るく照明される。
【００９８】
上記のようなＬＥＤ指向特性４００を有するので、図１３において、基板３の第１の面３ａ上に実装されるＬＥＤ２は、基板３の短手方向の中心からなるべく後方（背面パネル１２２方向）よりに配置される方が、効率よく展示用物品Ｂの前面部分を照明できる。
【００９９】
例えば、基板３の第１の面３ａ上に実装されるＬＥＤ２は、基板３の短手方向の中心からなるべく後方より（背面パネル１２２方向）に配置される方が、効率よくＬＥＤ光を展示用物品Ｂに照射できる。例えば、基板３の第１の面３ａ上に実装されるＬＥＤ２は、展示用物品Ｂの中心から７ｍｍ後方に配置されている。
【０１００】
また、基板３の第２の面３ｂ上に実装されるＬＥＤ２は、基板３の短手方向の中心からなるべく前方より（前面パネル１０７方向）に配置される方が、効率よく背面パネル１２２を照明できる。例えば、背面パネル１２２から、３０〜５０ｍｍの位置に配置されるのが好ましく、本実施の形態では、背面パネル１２２から３９ｍｍに設定されている。
【０１０１】
上記の照明装置１の動作においては、展示用物品群ｂ１，ｂ２，ｂ３のそれぞれに対応して、照明光の色、強度等を異なるようにすることもでき、また、時間と共に照明光の色、強度等が変化するように制御ユニット１０６でコントロールすることもできる。また、展示用物品Ｂを各々独立に制御することもできる。
【０１０２】
また、上記の説明では、照明装置１は、自動販売機への適用例を示したが、これに限られず、展示用物品やパネル等の照明対象を有するショーケース等に幅広く適用可能である。
【０１０３】
（第３の実施の形態の効果）
以上説明した第３の実施の形態によれば、次に示す効果が得られる。
【０１０４】
（１）本実施の形態に係る自動販売機によれば、照明装置１を自動販売機の内部で所定の角度で傾斜して取り付けているので、展示用物品Ｂの前面部分と背面パネル１２２を効率よく照明可能となる。すなわち、従来の蛍光灯は３６０°の全方向に光が照射されるのに対して、ＬＥＤ光は指向特性を有するので、特に展示用物品Ｂの前面部分と背面パネル１２２に効率よくＬＥＤ光が照射され、効果的な自動販売機の照明が可能となる。
（２）本実施の形態に係る照明装置によれば、展示用物品Ｂの展示個数、配列間隔等が異なる自動販売機にこの照明装置を適用する場合、上部ケース４または下部ケース５を上記展示用物品に対応させて組み合わせて装着することにより種々の横幅の自動販売機に対応できるので、新たに上部ケース４または下部ケース５等を設計し製作する必要がないので、設計開発期間の短縮、製造コストの低減等に大きく寄与することが可能となる。
（３）本実施の形態に係る照明装置によれば、展示用物品Ｂの一段分の展示個数に対応した一体的に構成された照明装置が可能となり、その照明装置を取り付けフックにより簡単な取付け方法により自動販売機への組込みが可能であるので、自動販売機への組み立て性に優れると共に、交換も容易であることからメンテナンス性にも優れるという効果を有する。
（４）本実施の形態に係る照明装置では、照明手段として、ＬＥＤを使用し、ＬＥＤの個数を展示用物品Ｂの数に対応したものにしているので、照明時に制御ユニット１０６により、照明光の色、強度等を変化させたり、点滅動作をさせたりできる。また、展示用物品群ｂ１，ｂ２，ｂ３のそれぞれに対応して、上記のような照明コントロールができるので、物品視認者の視覚に訴えるイルミネーション効果を持たせることが可能となる。また、展示用物品を例えば３個ないし４個を１ユニットとして交互に制御することもでき、イルミネーション効果と省エネ効果が得られる。
（５）基板３の第１の面３ａ及び第２の面３ｂ上に実装されたＬＥＤ２から照射されるＬＥＤ光により、展示用物品Ｂだけではなく、ステージ１２５に取り付けられた表示部１２６の照明、及び、前面パネル１０７に取り付けられた物品選択用の押釦１０８の輪郭照明が可能となるので、押釦１０８及び表示部１２６に専用の照明装置が不要になり、コストの低廉化を図ることが可能となる。
【符号の説明】
【０１０５】
１     照明装置
２     ＬＥＤ
３     基板
４     上部ケース
４ａ   上レンズ部
４０ａ 内側アール部
４０ｂ 外側アール部
４０ｃ 内側曲面部
４０ｄ 外側曲面部
４０ｅ 傾斜部
４０ｆ 傾斜曲面部
５     下部ケース
５ａ   下レンズ部
５０ａ 内側アール部
５０ｂ 外側アール部
５０ｃ 傾斜部
５０ｄ 傾斜曲面部
６０   電源ユニット
６１   交流電源
６２   電源回路
６６   電流検出用抵抗素子
６８   コントローラ
７０   ダイオード
７１   コイル
７３   制御素子
７４   抵抗素子群
７４Ａ 抵抗素子
７４Ｂ，７４Ｃ         抵抗素子
７７   整流ダイオード
７８   平滑コンデンサ
８０   ＬＥＤ保護回路
９０、９１    境界領域
１００ 自動販売機
１０２ 販売機本体
１０４ 筐体
１０４Ｂ      扉体
１０４Ａ      箱体
１０５ 物品払出ユニット
１０６ 制御ユニット
１０７ 前面パネル
１０８ 押釦
１１２ 紙幣挿入口
１１３ 硬貨投入口
１１４ 釣銭返却口
１１５ 物品取出口
１１６ 返却レバー
１１７ 表示器
１１８ ドアロック
１２２ 背面パネル
１２５ ステージ
１２６ 表示部
１８１ ベース
１８２ 基板
１８３ カバー
１８４ ネームプレート
１８５ レンズ
１８５ａ 周辺部
１８６ リフレクトケース
１８７ ケース
１８８ 隙間
１９０ ＬＥＤ光
２００ 広告スペース
３００ 取付けフック
４００ 指向特性
４２０、４２１、４２２      照明部分
Ｂ     展示用物品
ｂ１，ｂ２，ｂ３     展示用物品群
【図１】
0005506865.tif 000002
【図２】
0005506865.tif 000003
【図３】
0005506865.tif 000004
【図４】
0005506865.tif 000005
【図５】
0005506865.tif 000006
【図６】
0005506865.tif 000007
【図７】
0005506865.tif 000008
【図８】
0005506865.tif 000009
【図９】
0005506865.tif 000010
【図１０】
0005506865.tif 000011
【図１１Ａ】
0005506865.tif 000012
【図１１Ｂ】
0005506865.tif 000013
【図１２】
0005506865.tif 000014
【図１３】
0005506865.tif 000015
【図１４】
0005506865.tif 000016